(57)【要約】【課題】  一斗缶等の角缶の天板又は底板を容易に切断することができる切断具を提供する。【解決手段】  角缶の天板又は底板のエッジに係止される係止部３と、天板又は前記底板を切断する切断刃４と、係止部３を支点として切断刃４を天板側又は底板側に倒す柄５とを備えた切断具１であって、切断刃４は、角部（角刃部１３）を有すると共に、その角刃部１３から刃元までの第１刃部１２と角刃部１３から刃先までの第２刃部１４とを有している。この切断具１において、角刃部１３は、係止部３を支点として切断刃４が天板側又は底板側に倒されたときにその天板又は底板を突き刺し、第１刃部１２は、角刃部１３が刺さった箇所から刃元側を切断し、第２刃部１４は、角刃部１３が刺さった箇所から刃先側を切断する。【選択図】        図１      
2005306398.tif 000002
【特許請求の範囲】
【請求項１】
角缶の天板又は底板のエッジに係止される係止部と、前記天板又は前記底板を切断する切断刃と、前記係止部を支点として前記切断刃を前記天板側又は前記底板側に倒す柄とを備えた切断具であって、
前記切断刃は、角部を有すると共に、該角部から刃元までの第１刃部と該角部から刃先までの第２刃部とを有し、
前記角部は、前記係止部を支点として前記切断刃が前記天板側又は前記底板側に倒されたときに該天板又は該底板を突き刺し、前記第１刃部は、前記角部が刺さった箇所から刃元側を切断し、前記第２刃部は、前記角部が刺さった箇所から刃先側を切断することを特徴とする切断具。
【請求項２】
前記係止部が、前記天板又は前記底板のエッジの外側に係止される第１係止部と、前記天板又は前記底板のエッジの内側近傍に突き刺さり、且つ、前記切断刃で前記天板又は前記底板を切断するときに前記角缶の側壁に突き刺さって前記天板又は前記底板のエッジの近傍に係止される第２係止部とからなることを特徴とする請求項１に記載の切断具。
【請求項３】
前記切断刃が平板状に形成され、前記係止部が、該切断刃の先端部位であって当該切断刃が存在する座標平面と異なる座標位置に配置されていることを特徴とする請求項１又は２に記載の切断具。
【請求項４】
前記柄が、前記切断刃を回動可能に支持する回動部と、該切断刃を収容する収容部とを有することを特徴とする請求項１〜３のいずれか１項に記載の切断具。
【請求項５】
前記切断刃の長さが、前記天板若しくは前記底板の１辺の長さより若干短い寸法、又は、前記天板若しくは前記底板の対角線の長さより若干短い寸法に形成されていることを特徴とする請求項１〜４のいずれか１項に記載の切断具。
【請求項６】
角缶の天板又は底板のエッジに係止される係止部と、前記天板又は前記底板を切断する切断刃と、前記係止部を支点として前記切断刃を前記天板側又は前記底板側に倒す取っ手とを備え、前記天板又は前記底板の４つの辺のうちの３辺を切断する切断具であって、
前記切断刃は、対向する２つの側刃部と、該２つの側刃部を連結する中央刃部とで略コ字状に形成され、
前記２つの側刃部が、それぞれ角部を有すると共に、該角部から刃元までの第１刃部と該角部から刃先までの第２刃部とを有し、
前記角部は、前記係止部を支点として前記切断刃が前記天板側又は前記底板側に倒されたときに該天板又は該底板を突き刺し、前記第１刃部は、前記角部が刺さった箇所から刃元側を切断し、前記第２刃部は、前記角部が刺さった箇所から刃先側を切断することを特徴とする切断具。
【請求項７】
前記中央刃部が、前記側刃部側に傾斜した略三角形状に形成されていることを特徴とする請求項６に記載の切断具。
【発明の詳細な説明】
【技術分野】
【０００１】
本発明は、一斗缶等の角缶の天板や底板を容易に切断することができる切断具に関するものである。
【背景技術】
【０００２】
塗料、油、接着剤等を貯留する容器として広く一斗缶が用いられている。この一斗缶に貯留された内容物（例えば塗料等）を使う場合、通常、一斗缶の天板に取り付けられた注出口のキャップを外し、その注出口から所定量の内容物を容器等に移し替えている。一方、塗装工事等の現場では、塗料等の使用量や使用頻度が多いので、使用する毎に所定量の内容物を一斗缶から容器等に移し替えると、手間や多大な時間がかかってしまう。そのため、一斗缶の天板の４辺のうちの３辺を図１６に示すように切断し、切断した天板２１を図１７に示すように一斗缶２の外側に折り曲げ、折り曲げて形成した開口部から塗装用ローラ等を直接一斗缶２内の内容物に浸漬して、内容物を使用することが行われている。なお、一斗缶の内容物を使用した後は、折り曲げた天板２１を元の位置に戻して開口部を閉じ、その天板で閉じられた開口部をビニール等で覆って後日使用できるようにしている。
【０００３】
ところで、一斗缶の天板を切断する切断具としては、例えば、特許文献１に記載されているＶ型の刃を有する一斗缶用カッタ、缶切、又は金属製のへら等の切断具が知られている。塗装工事の現場等では、これら切断具のうち図２４に示すような金属製のへら１００が用いられているのが現状である。金属製のへら１００を用いて天板の３辺を切断するには、先ず、一斗缶２のエッジ近傍の天板２１にへら１００の尖鋭部を突き刺して小さな孔を開け、天板２１の１辺をその孔からエッジに沿って切断し、さらに他の２辺も同様に切断する。このようなへら１００を用いた場合には、手間と労力を要するという問題がある。特に塗装工事等の現場等では使用する塗料等が多いので、天板の切断作業の頻度が多くなり、手間と労力を要するという問題がある。
【特許文献１】特開２００３−１５１６号公報（図７）
【発明の開示】
【発明が解決しようとする課題】
【０００４】
しかしながら、上述した金属製のへら１００を用いて一斗缶の天板を切断する手段では、多くの手間と労力を要するという問題がある。特に塗装工事等の現場等では使用する塗料等が多いので、天板の切断作業の頻度が多くなり、手間と労力を要するという問題がある。
【０００５】
本発明は、前記課題を解決するためになされたものであって、その目的は、一斗缶等の角缶の天板又は底板を容易に切断することができる切断具を提供することにある。
【課題を解決するための手段】
【０００６】
前記目的を達成するための本発明の第１形態に係る切断具は、角缶の天板又は底板のエッジに係止される係止部と、前記天板又は前記底板を切断する切断刃と、前記係止部を支点として前記切断刃を前記天板側又は前記底板側に倒す柄とを備えた切断具であって、前記切断刃は、角部を有すると共に、該角部から刃元までの第１刃部と該角部から刃先までの第２刃部とを有し、前記角部は、前記係止部を支点として前記切断刃が前記天板側又は前記底板側に倒されたときに該天板又は該底板を突き刺し、前記第１刃部は、前記角部が刺さった箇所から刃元側を切断し、前記第２刃部は、前記角部が刺さった箇所から刃先側を切断することを特徴とする。
【０００７】
この発明によれば、係止部を一斗缶等の角缶の天板又は底板のエッジに係止させた後に、切断刃を天板側又は底板側に倒すことにより、切断刃の角部が刺さった箇所から刃元側及び刃先側がそれぞれ第１刃部及び第２刃部で切断される。こうした本発明の切断刃によれば、天板又は底板を容易に切断することができる。
【０００８】
本発明の切断具は、上記本発明の第１形態に係る切断具において、前記係止部が、前記天板又は前記底板のエッジの外側に係止される第１係止部と、前記天板又は前記底板のエッジの内側近傍に突き刺さり、且つ、前記切断刃で前記天板又は前記底板を切断するときに前記角缶の側壁に突き刺さって前記天板又は前記底板のエッジの近傍に係止される第２係止部とからなることを特徴とする。
【０００９】
この発明によれば、天板又は底板のエッジの外側に係止される第１係止部と、天板又は底板の内側近傍に突き刺さってから一斗缶の側壁に突き刺さって天板又は底板のエッジに係止される第２係止部とで本発明の切断具がエッジに係止されるので、係止部を支点として切断刃が倒されて天板又は底板が切断されるときに、係止部がエッジから離れることがない。その結果、天板又は底板を確実に切断することができる。
【００１０】
本発明の切断具は、上記本発明の第１形態に係る切断具において、前記切断刃が平板状に形成され、前記係止部が、該切断刃の先端部位であって当該切断刃が存在する座標平面と異なる座標位置に配置されていることを特徴とする。
【００１１】
天板のエッジ近傍の１辺を切断する場合、係止部は角缶の湾曲しているコーナー部のエッジではなくそのコーナー部から少し離れた略直線状のエッジに係止する。そのため、切断刃が平板状に形成され且つ係止部が平板状の切断刃と同じ座標平面に配置されていると、コーナー部のエッジ近傍にバリが生じてしまう。この発明によれば、係止部が、切断刃の先端部位であってその切断刃が存在する座標平面と異なる座標位置に配置されているので、コーナー部のエッジ近傍にバリを生じさせることなく天板の１辺をそのエッジに沿ってきれいに切断することができる。具体的には、係止部が配置される座標位置は、切断刃からみてエッジ方向とは反対方向にある。
【００１２】
本発明の切断具は、上記本発明の第１形態に係る切断具において、前記柄が、前記切断刃を回動可能に支持する回動部と、該切断刃を収容する収容部とを有することが好ましい。また、前記切断刃の長さが、前記天板若しくは前記底板の１辺の長さより若干短い寸法、又は、前記天板若しくは前記底板の対角線の長さより若干短い寸法に形成されていることが好ましい。
【００１３】
また、前記目的を達成するための本発明の第２形態に係る切断具は、角缶の天板又は底板のエッジに係止される係止部と、前記天板又は前記底板を切断する切断刃と、前記係止部を支点として前記切断刃を前記天板側又は前記底板側に倒す取っ手とを備え、前記天板又は前記底板の４つの辺のうちの３辺を切断する切断具であって、前記切断刃は、対向する２つの側刃部と、該２つの側刃部を連結する中央刃部とで略コ字状に形成され、前記２つの側刃部が、それぞれ角部を有すると共に、該角部から刃元までの第１刃部と該角部から刃先までの第２刃部とを有し、前記角部は、前記係止部を支点として前記切断刃が前記天板側又は前記底板側に倒されたときに該天板又は該底板を突き刺し、前記第１刃部は、前記角部が刺さった箇所から刃元側を切断し、前記第２刃部は、前記角部が刺さった箇所から刃先側を切断することを特徴とする。
【００１４】
この発明によれば、係止部を一斗缶等の角缶の天板又は底板のエッジに係止させた後に切断刃を天板側又は底板側に倒すことにより、天板又は底板の３辺が一度に切断刃で切断される。従って、より効率的に天板又は底板を切断することができる。
【００１５】
本発明の切断具は、上記本発明の第２形態に係る切断具において、前記中央刃部が、前記側刃部側に傾斜した略三角形状に形成されていることが好ましい。
【００１６】
この発明によれば、中央刃部が側刃部側に傾斜しているので、切断刃を天板側又は底板側に倒して天板又は底板を切断した後に切断具を元の状態に戻したとき、切断された天板又は底板が中央刃部に引っ掛かってめくれ上がる。その結果、本発明の切断具で切断した後に元に戻すだけで、切断された天板又は底板を折り曲げて角缶を開けることができ、作業効率をより一層向上させることができる。
【発明の効果】
【００１７】
以上説明したように、本発明の切断具によれば、係止部を一斗缶等の角缶の天板又は底板のエッジに係止させた後に、切断刃を天板側又は底板側に倒すことにより、天板又は底板を容易に切断することができるので、効率的に天板又は底板を切断することができる。
【００１８】
また、一斗缶等の角缶を廃棄する際には、角缶を平たく潰す作業がなされるが、潰すためには、天板に続いて底板を切断する必要がある。本発明の切断具によれば、底板も容易に切断することができるので、一斗缶等の角缶を効率的に平たく潰すことができ、その結果、角缶の廃棄が容易となる。
【発明を実施するための最良の形態】
【００１９】
以下、本発明の切断具を図面に基づいて詳細に説明する。
【００２０】
（第１形態の切断具）
図１は、本発明の第１形態に係る切断具の一例を示す図であり、図２は、本発明の第１形態に係る切断具の他の一例を示す図である。本発明の第１形態に係る切断具は、一斗缶等の角缶の天板又は底板（以下、天板又は底板を「天板等」ということがある。）を切断するためのものである。
【００２１】
角缶としては、例えば９Ｌ（リットル）や１８Ｌの角缶等が好ましく挙げられるが、その大きさは特に限定されず、さらに、角缶の用途も限定されない。以下においては、図６〜図２３に示すような１８Ｌの角缶である一斗缶２を用いて本発明を説明する。
【００２２】
一斗缶２は、塗料、油、接着剤等を密閉状態で貯留するために広く使用され、サイズが規格化されているものである。すなわち、一斗缶２は、縦、横、高さの寸法が決まっており、天板２１と底板２３は同じ略正方形状に形成されている。一斗缶２は、例えば図１０に示すように、天板２１と側壁２２（缶胴ともいうこともある。）とのエッジ部分が２重にカシメられたカシメ部２４を有しており、一斗缶２はそのカシメ部２４により一密封構造となっている。このカシメ部２４は、天板２１及び側壁２２の表面より突出して天板２１のエッジとして形成されている。また、一斗缶２の底板２３と側壁２２も、例えば図１８に示すように、同様に２重にカシメられたカシメ部２５を有し、一斗缶２はそのカシメ部２５により密封構造となっている。カシメ部２５は、底板２３及び側壁２２の表面より突出して底板２３のエッジとして形成されている。
【００２３】
本発明の第１形態に係る切断具１は、図１〜図３、図６〜図１５、図１８、図１９、図２２及び図２３に示すように、一斗缶２のエッジ（すなわち、天板２１のカシメ部２４又は一斗缶２の底板２３のカシメ部２５）に係止される係止部３と、天板２１又は底板２３を切断する切断刃４と、係止部３を支点として切断刃４を天板２１側又は底板２３側に倒す柄５とを備えている。この第１形態に係る切断具１において、係止部３は切断刃４の先端部位に設けられており、柄５は切断刃４の後端部位に設けられている。なお、本願においては、切断刃４からみて柄５の側を後方とし、その逆側を先方として表している。
【００２４】
切断刃４は、例えば図１に示すように、刃部１０と峰１１とを有している。刃部１０は、角部（以下においては、角刃部１３ということがある。）を有すると共に、その角部から刃元までの第１刃部１２と、その角部から刃先までの第２刃部１４とを有している。刃部１０は、両刃であっても片刃であってもよく特に限定されないが、図１０〜図１５に示すように、切断刃４の右側にエッジがくるように切断する場合においては、いわゆる右用片刃とすることが好ましい。
【００２５】
切断刃４は、例えば図１に示すように、平板状に形成されていることが好ましく、一斗缶２を切断し得る材料、例えば炭素工具鋼材（ＳＫ２）等の鋼材等によって形成されている。切断刃４の厚さは、強度等を考慮して天板２１等を容易に切断することができる厚さ範囲から任意に選定される。切断刃４の峰１１は直線状に形成され、切断刃４の刃部１０の幅は、切断刃４の先端方向に向かうにしたがって漸次広くなるように形成されている。より詳しくは、切断刃４の峰１１とほぼ対向する部分をなしている第１刃部１２の幅は、切断刃４の先端方向に向かうにしたがって漸次広くなるように直線状に形成されている。
【００２６】
係止部３は、天板２１のカシメ部２４又は底板２３のカシメ部２５に切断具１を係止するためのものであり、例えば図１及び図６〜図９に示すように、切断刃４の峰１１の先端部位に一体的に設けられている。係止部３は、天板２１のカシメ部２４又は底板２３のカシメ部２５の外側に係止される第１係止部３１と、天板２１のカシメ部２４又は底板２３のカシメ部２５の内側に係止される第２係止部３２とで構成されていることが好ましい。
【００２７】
第１係止部３１は、切断刃４の峰１１の先端に設けられている。第１係止部３１の先端部は、例えば図１に示すように、切断刃４の峰１１側から刃部１０側に略直角に曲がった略Ｌ字状からなる形態をなしている。この第１係止部３１は、天板２１のカシメ部２４又は底板２３のカシメ部２５の外側に係止される。
【００２８】
第２係止部３２は、切断刃４の刃部１０を構成する第２刃部１４の先端に、切断刃４の峰とほぼ平行に延びるように設けられている。この第２係止部３２は、第１係止部３１の曲がった部分に対向する位置に、その第１係止部３１との間に隙間を隔てて設けられており、その形態は棒状となっている。この第２係止部３２は、天板２１のカシメ部２４又は底板２３のカシメ部２５の内側近傍に突き刺さり、且つ、切断刃４で天板２１又は底板２３を切断するときに一斗缶２の側壁２２に突き刺さって天板２１又は底板２３のエッジ近傍に係止する。具体的には、天板２１のカシメ部２４又は底板２３のカシメ部２５に係止する。
【００２９】
すなわち、第１係止部３１と第２係止部３２は、天板２１のカシメ部２４又は底板２３のカシメ部２５に両係止部３１，３２の隙間を差し込むことができるように形成されている。第１係止部３１の長さや幅及び第２係止部３２の長さや幅並びに第１係止部３１と第２係止部３２との隙間は、第１係止部３１と第２係止部３２とで天板２１のカシメ部２４又は底板２３のカシメ部２５に係止可能なサイズとなるように設定される。
【００３０】
係止部３は、切断刃４と同一の座標平面上に形成されていてもよいが、好ましくは、図１（ｂ）及び図２（ｂ）に示すように、切断刃４が存在する座標平面と異なる座標位置に配置されていることが好ましい。具体的には、切断刃４の峰１１の先端を曲げて、係止部３の座標位置を平板状の切断刃４の座標平面からずらすことが好ましい。なお、切断刃４の峰１１の先端を曲げて係止部３を切断刃４が存在する座標平面と異なる座標位置に配置する代わりに、切断刃４の峰１１は直線状にしたままで切断刃４を湾曲させ、係止部３の座標位置と切断刃４の座標平面とを図１（ｂ）及び図２（ｂ）に示す位置関係と同じ位置にするようにしてもよい。
【００３１】
天板２１のエッジ近傍の１辺を切断する場合、図２５（ａ）に示すように、係止部３は一斗缶２の湾曲しているコーナー部のエッジではなくそのコーナー部から少し離れた略直線状のエッジに係止する。そのため、切断刃４が平板状に形成され且つ係止部３が平板状の切断刃４と同じ座標平面に配置されている場合（すなわち、切断刃４と係止部３とが直線状に配置されている場合）、天板２１のカシメ部２４の近くをそのカシメ部２４に沿ってきれいに切断することができず、コーナー部のエッジ近傍にバリが生じてしまう。本発明においては、図２５（ｂ）に示すように、係止部３が、切断刃４の先端部位であってその切断刃４が存在する座標平面と異なる座標位置に配置されているので、コーナー部のエッジ近傍にバリを生じさせることなく天板２１の１辺をそのエッジに沿ってきれいに切断することができる。具体的には、係止部３が配置される座標位置は、切断刃４からみてエッジ方向とは反対方向にある。
【００３２】
切断刃４は、角部（以下、角刃部１３ともいう。）を有すると共に、その角部（角刃部１３）から刃元１６までの第１刃部１２と、その角部から刃先までの第２刃部１４とを有している。本発明の切断具１においては、係止部３を支点として切断刃４が天板側又は底板側に倒されたときに、角刃部１３はその天板又は底板を突き刺し、第１刃部１２は、角刃部１３が刺さった箇所から刃元１６側を切断し、第２刃部１４は、角刃部１３が刺さった箇所から刃先側を切断する。
【００３３】
角刃部１３は、図１及び図２に示すように、切断刃４の先端方向に上述した係止部３と所定の間隔を隔てて設けられている。詳しくは、係止部３の位置よりもやや刃元１６側にずれた箇所に位置している。この角刃部１３は、係止部３を支点として切断刃４が倒されたとき、天板２１等に最初に突き刺さる個所である。角刃部１３は、天板２１等を容易に突き刺さることができるように、鋭角に形成されていることが好ましい。鋭角な角刃部１３は、図１及び図２に示すように、第２刃部１４を湾曲した凹形状にするとよい。
【００３４】
第１刃部１２と第２刃部１４は、例えば図１及び図２に示すように、左側の面のみに刃面１５が形成されている片刃であっても、右側の面のみに刃面が形成されている片刃であっても、両面に刃面が形成されている両刃であってもよい。なお、第１刃部１２及び第２刃部１４が左側の面のみに刃面１５が形成されている片刃である場合には、その右側の面は平面状に形成されている。多くの人は右手で柄５を握るために、第１刃部１２及び第２刃部１４の右側の面をカシメ部２４等に押しつけ易い。その結果、天板２１の１辺を切断するときには、カシメ部２４の近くで切断することが可能となる。
【００３５】
切断刃４の刃元１６は、本発明においては天板２１等を切断することができる端部であり、「あご」ともいわれる箇所である。この刃元１６と柄５との間には、凹部１７が形成されている。この凹部１７は、切断具１で天板２１等を切断したときに、ちょうどカシメ部２４が当たる箇所に形成されている。この凹部１７の柄５側には、さらに突部１８が設けられている。
【００３６】
切断刃４の刃の長さは、切断刃４で天板２１等が切断されたとき、前記の突部１８が側壁２２の外側に位置するように決められる。すなわち、切断刃４の刃の長さ（刃先ともなる第２係止部３２から刃元１６までの刃長）は、天板２１等の１辺の長さより若干短い寸法以上であることが好ましく、天板２１等の１辺の長さより若干短い寸法又は天板２１等の対角線の長さより若干短い寸法に形成されていることが特に好ましい。図１、図９〜図１５、図１８及び図１９に示す切断具１は、切断刃４の刃の長さが天板２１等の対角線の長さより若干短い寸法に形成されている例を示すものである。図２、図２２及び図２３に示す切断具１は、切断刃４の刃の長さが天板２１等の１辺の長さより若干短い寸法に形成されている例を示すものである。
【００３７】
なお、図２に示すように、切断具１の第１刃部１２の刃元１６側の端部には、一斗缶２のコーナー部の形状に合わせて曲げた延出刃部１９が設けられていることが好ましい。この延出刃部１９は、コーナー部も同時に切断することができるという利点がある。
【００３８】
柄５は、峰１１とほぼ同一直線状に設けられている。柄５は、人間が片手で容易に握れる程度の大きさで形成されていることが好ましい。柄５の材質としては、特に限定されないが、木材や樹脂等を挙げることができる。
【００３９】
柄は、図３に示すように、切断刃４を回動可能に支持する回動部５１と、切断刃４を収容する収容部５２とを有するものでもよい。こうした柄５０を備えた切断具は、切断刃４を折りた畳んで収容できる折り畳み式の切断具となる。このとき、回動部５１は、切断刃４が収容部５２に収容されると共に、切断刃４が柄５０に対して略直線状に配置されるように形成されている。
【００４０】
この折り畳み式の切断具において、切断刃４と柄５０には、切断刃４が収容部５２に収容されたときや、切断刃４が柄５０に対して略直線状に配置されたときに、柄５０と切断刃４との相対位置がずれないように機能する係合部がそれぞれ設けられていることが好ましい。また、柄５０には、人間が片手で容易に握れる程度の大きさの握り部５３が設けられていることが好ましい。なお、図３中、符号５４は、紐等を通したりする貫通孔を示している。
【００４１】
（第１形態に係る切断具の使用形態）
次に、本発明の第１形態に係る切断具１を用いて一斗缶２の天板２１等を切断する場合を説明する。
【００４２】
先ず、一斗缶２の天板２１のカシメ部２４に切断具１の係止部３を突き合わせる。すなわち、天板２１に対して切断具１を直交させる。そのとき、第１係止部３１がカシメ部２４の外側位置となり、第１係止部３１と第２係止部３２との隙間がカシメ部２４上の位置となるように切断具１を位置決めする。その状態で切断具１を天板２１側に突き当てて、図６に示すように、第２係止部３２をカシメ部２４近傍の天板２１に突き刺す。これにより、第１係止部３１と第２係止部３２との隙間にカシメ部２４が挿入して、第１係止部３１をカシメ部２４に係止する。そのとき、切断具１は天板２１に直立した状態になっている。
【００４３】
次に、図７に示すように、第１係止部３１をカシメ部２４に係止した状態のまま、切断刃４が天板２１側に倒れるように柄５に力を作用させる。このとき、切断刃４が第１係止部３１を支点として天板２１側に倒れていき、先ず、角刃部１３が天板２１に接触して押しつけられると共に、第２係止部３２の先端部位が一斗缶２の側壁２２に接触して押しつけられる。そして、図８に示すように、角刃部１３が天板２１を突き刺して一斗缶２内に入ると共に、第２係止部３２の先端部が一斗缶２の側壁２２を切断して一斗缶２の外部にでる。角刃部１３が天板２１を突き刺して一斗缶２内に入ると、角刃部１３が突き刺さった箇所から刃元１６側の天板２１が第１刃部１２で徐々に切断されると共に、角刃部１３が突き刺さった箇所から刃先側（係止部３側と同じ。）の天板２１が第２刃部１４で徐々に切断される。
【００４４】
このように、切断刃４で天板２１を切断する場合、角刃部１３が天板２１に突き刺さるので、その角刃部１３の両側に設けられている第１刃部１２と第２刃部１４とにより天板２１を容易に切断することができる。また、天板２１のカシメ部２４近傍に突き刺さった第２係止部３２は切断刃４を倒したときに側壁２２に突き刺さる。その結果、第１係止部３１と第２係止部３２とからなる係止部３はカシメ部２４に係止するので、係止部３がカシメ部２４から外れることがほとんどない。その結果、天板２１を確実に切断することができる。
【００４５】
また、切断刃４の刃の長さが切断する箇所の長さより長い場合には、図９に示すように、係止部３が係止されているカシメ部２４と対向する天板２１のカシメ部２４に第１刃部１２の刃元側が接触したとき、柄５に作用する力を止める。これにより、天板２１は、切断刃４で切断されるが、第１刃部１２が接触したカシメ部２４近傍には切断刃４により切断できない部分が残ることになる。この切断できなかった部分は、切断された部分に比べてその長さが短いので、切断具１の第２刃部１４又は第１刃部１２を押し当てて切断することにより、容易にしかも簡単に切断することができる。
【００４６】
従って、本発明の切断具１によれば、天板２１を簡単且つ容易に切断することができる。このため、本発明の切断具１で天板２１の３辺を切断し、切断した天板２１を一斗缶２の外側に折り曲げることにより、時間をかけることなく簡単に一斗缶の内容物を使用することが可能となる。
【００４７】
次に、本発明の切断具を用いて一斗缶２の天板２１の３辺を切断する手順を説明する。先ず、図１０に示すように、一斗缶２の天板２１の１つのコーナー部近傍に切断具１の第２係止部３２を突き刺して係止部３（実際には第１係止部３１）をカシメ部２４に係止させる。係止部３を係止させた後、図１１に示すように、天板２１の１辺のカシメ部２４に沿って切断刃４を倒し、天板２１の１辺を切断する。このとき、切断刃４の刃の長さが切断する天板２１の１辺の長さより長い場合には、刃元方向の天板２１のコーナー部に切断できない部分が残るが、切断できなかった部分は、切断具１の第２刃部１４又は第１刃部１２を上方からその部分に押し当てて切断することにより、容易且つ簡単に切断することができる。
【００４８】
また、切断刃４の刃の長さが、図２に示すように、天板２１等の１辺の長さよりも若干短い寸法である場合には、図２２に示すように、係止部３（実際には第１係止部３１）をカシメ部２４に係止させた後、図２３に示すように、切断刃４を天板２１の１辺に沿って倒すことにより、切断刃４の第１刃部１２がカシメ部２４に当たることなく天板２１を切断することができる。その結果、刃元側における天板２１のコーナー部に切断されない箇所が残ることなく、天板２１の１辺がその１辺のカシメ部２４に沿って一気に切断されることになる。また、第１刃部１２の刃元側の端部に、一斗缶２のコーナー部の形状に合わせて曲げた延出刃部１９が設けられているので、切断されない箇所を残すことがない。その結果、天板２１の１辺を容易且つ簡単に切断することができる。
【００４９】
また、図１（ｂ）、図２（ｂ）及び図２５に示すように、係止部３を切断刃４の存在する平面と異なる座標位置に配置しているので、係止部３を、一斗缶の湾曲しているコーナー部のエッジではなくそのコーナー部から少し離れたやや直線状のエッジに係止して切断した場合であっても、天板２１の１辺をその１辺のカシメ部２４に沿ってきれいに（大きなバリがない状態のこと。）切断することができる。
【００５０】
天板２１の１辺を切断した後においては、例えば図１２に示すように、切断した１辺の終端部（時計周り方向の端部）のコーナー部近傍のカシメ部２４に切断具１を係止させた後、図１３に示すように、上記同様の切断を行って２つ目の辺を切断する。２つ目の辺を切断した後は、図１４に示すように、切断した辺の終端部（時計周り方向の端部）のコーナー部近傍のカシメ部２４に切断具１を係止させた後、図１５に示すように、上記同様の切断を行って三つ目目の辺を切断する。
【００５１】
これにより、図１６に示すように、天板２１の４辺のうちの３辺が切断される。次いで、図１７に示すように、切断された天板２１を一斗缶２の外側に折り曲げる。こうした一斗缶２には折り曲げにより開口部が形成されているので、ローラ等をその開口部から入れて内容物に直接浸漬することができる。その結果、手間をかけることなく短時間で簡単に一斗缶２の内容物を使用することが可能となる。
【００５２】
なお、一斗缶２を廃棄する際にも本発明の切断具１を用いることが便利である。すなわち、一斗缶２を廃棄する際には、通常、一斗缶２を平たく潰すが、潰すためには、天板２１に続いて底板２３を切断する必要がある。こうした切断作業に本発明の切断具１を用いることにより、底板２３を容易に切断することができるので、一斗缶２を平たく潰す作業を、短時間で容易に行うことができる。
【００５３】
例えば、廃棄しようとする一斗缶２の内部に付着している塗料等の内容物を、例えばシンナー等の溶剤で溶解させて落とした後、外側に折り曲げた天板２１を一斗缶２の内側に折り曲げ、その後、図１８に示すように、底板２３の１つのコーナー部に切断具１の第２係止部３２を突き刺して係止部（実際には第１係止部３１）をそのコーナー部のカシメ部２４に係止させる。切断具１を係止した後、図１９に示すように、切断刃４を底板２３の対角線に沿って倒し、底板２３を対角線上に切断する。底板２３を切断した後、一斗缶２を例えば足で踏んだりして図２０の矢印Ｃに示す方向の力を加える。これにより、底板２３が切断方向と略直交する方向を軸として略三角形状に折り曲がり、さらに２つの側壁２２の内側が他の２つの側壁２２の内側に当たるように変形することによって、一斗缶２が図２１に示すように平たく容易に潰れる。従って、本発明の切断具１は、一斗缶２を廃棄する際においても効果的に使用でき、一斗缶２を容易に潰すことができる。なお、切断具１としては、天板２１等の対角線の長さより若干短い寸法に形成されているものを用いることがよい。
【００５４】
（第２形態の切断具）
図４及び図５は、本発明の第２形態に係る切断具の一例を示す図である。本発明の第２形態に係る切断具６０は、図４及び図５に示すように、切断刃７０が天板２１又は底板２３の４つの辺のうちの３辺を一度に切断する略コ字状に形成されていることに特徴がある。切断刃７０は切断具本体６１に取り付けられている。
【００５５】
この切断具６０は、一斗缶等の角缶の天板２１又は底板２３のエッジに係止される係止部８０と、天板２１又は底板２３を切断する切断刃７０と、係止部８０を支点として切断刃７０を天板側又は底板側に倒す取っ手６６とを備えている。切断刃７０は、対向する２つの側刃部７１，７１と、２つの側刃部７１，７１を連結する中央刃部７５とで略コ字状に形成されている。２つの側刃部７１，７１は、それぞれ角部（角刃部７４という。）を有すると共に、その角刃部７４から刃元までの第１刃部７２とその角刃部７４から刃先までの第２刃部７３とを有している。角刃部７４は、係止部８０を支点として切断刃７０が天板側又は底板側に倒されたときに天板２１又は底板２３を突き刺し、第１刃部７２は、角刃部７４が刺さった箇所から刃元側を切断し、第２刃部７３は、角刃部７４が刺さった箇所から刃先側を切断する。
【００５６】
切断具本体６１は、硬くて脆くない材料、例えば炭素工具鋼材（ＳＫ２）等の鋼材等によって形成されている。切断具本体６１は、切断刃７０が取り付けられている基部６３と、ガイド板６４、６５と、取っ手６６とから構成されている。
【００５７】
基部６３は、一斗缶２の天板２１又は底板２３より若干大きな寸法の略正方形の板状に形成されている。この基部６３上の３辺の近傍に略コ字状の切断刃７０が溶接等により取り付けられている。切断刃７０が取り付けられている近傍の基部６３の３辺には、基部表面に対して直交する方向に延びるガイド板６４、６５がそれぞれ一体的に設けられている。なお、符号６２は、基部が存在しない空間部である。
【００５８】
ガイド板６４、６５は、必須の構成部材ではないが、天板２１等を切断する際のガイドとなり、また、切断刃７０を保護する保護カバーにもなる点から設けることが好ましい。ガイド板６４、６５の形状は、特に限定されず、矩形状等の形状でもよいが、第２の切断具６０の重量を考慮すると、例えば略コ字状の切断刃７０を覆い隠す形状であることが好ましい。すなわち、対向する２つのガイド板（第１ガイド板）６４は、略同じ形状に形成されている。残りのガイド板（第２ガイド板）６５は、例えば台形状に形成されている。
【００５９】
取っ手６６は、基部６３を介して切断刃７０を倒したりして操作する柄である。取っ手６６は、基部６３の第２ガイド板６４側の縁部に設けられているが、基部６３に一体的に設けられていてもよいし、ボルト等により着脱自在に設けられていてもよい。取っ手６６は、例えば、基部６３の縁部の両端部にそれぞれ設けられた２つの側部６７、６７と、それら側部６７、６７を連結する握り部６８とから略コ字状に形成されている。側部６７、６７は、基部６３の縁部の両端部にそれぞれ第１ガイド板６４に沿って基部６３から延出して形成されている。握り部６８は、人間が片手で容易に握れる程度の大きさ及び形状に形成されていることが好ましい。握り部６８は、側部６７、６７の先端部に取り付けられている。なお、符号６９は、空間部である。
【００６０】
また、基部６３の切断刃７０が設けられている表面上には、係止部８０が溶接等により取り付けられている。係止部８０は、天板２１のカシメ部２４又は底板２３のカシメ部２５に係止されるものであり、前記の係止部３と略同様に天板２１のカシメ部２４又は底板２３のカシメ部２５の外側に係止される第１係止部８１と、天板２１のカシメ部２４又は底板２３のカシメ部２５の内側に係止される第２係止部８２とから形成されていることが好ましい。
【００６１】
第１係止部８１は、例えば、基部６３の表面に直交する方向に延びた略Ｌ字状に形成されている。この第１係止部８１は、天板２１等のカシメ部２４又はカシメ部２５に係止するように作用する。
【００６２】
第２係止部８２は、基部６３の表面に直交する方向に延び、さらに切断具６０の先端方向に曲がった構造をなしている。この第２係止部８２の先端は、天板２１等に容易に突き刺さるように鋭利に形成されている。また、第２係止部８２の表面は、天板２１等に突き刺さった後に天板２１等を切断し易いように刃部８２’が形成されていることが好ましい。
【００６３】
係止部８０は、第１係止部８１と第２係止部８２とが天板２１等のエッジを挟む位置関係となるようにその第１係止部８１と第２係止部８２とが形成されている。第１係止部８１の長さや幅及び第２係止部８２の長さや幅並びに第１係止部８１と第２係止部８２との間隔は、天板２１等のエッジに係止され易い寸法範囲からそれぞれ任意に設定される。
【００６４】
切断刃７０は、一斗缶２を切断し得る材料、例えば炭素工具鋼材（ＳＫ２）等の鋼材等で形成されている。切断刃７０は、天板２１又は底板２３の４つの辺のうちの３辺を一度に切断し得るように、対向する側刃部７１、７１と、２つの側刃部７１、７１を連結する中央刃部７５とから略コ字状に形成されている。切断刃７０（側刃部７１、７１及び中央刃部７５）は、天板２１の３つの辺により形成される略コ字状より若干小さな略コ字状に形成されている。切断刃７０は、基部６３上のガイド板６４、６５が設けられている３辺の近傍にガイド板６４、６５と対向するように溶接等により取り付けられている。切断刃７０は、例えば、鋼板から平板状の２つの側刃部及び中央刃部を作製してこの平板状の２つの側刃部を折り曲げて略コ字状にして形成するようにしてもよい。
【００６５】
２つの側刃部７１、７１は、前記の切断刃４の第１刃部１２、第２刃部１４、角刃部１３と略同じ形状で形成されている。すなわち、側刃部７１は、それぞれ直線状の第１刃部７２、湾曲状の第２刃部７３、鋭角な角刃部７４を有している。２つの側刃部７１、７１の先端部（中央刃部７５とは反対側の端部）は、天板２１のコーナー部と略同じように湾曲状に形成されていることが好ましい。
【００６６】
中央刃部７５は、天板２１等を切断し得る形状に形成され、例えば、略三角形状に形成されている。中央刃部７５は、係止部８０側に傾斜して形成されていることが好ましい。この中央刃部７５の傾斜角度は、切断刃７０を天板２１等に倒して天板２１等を切断した後に、切断刃７０を元の状態に戻すときに、切断された天板２１等に中央刃部７５が引っかかり、切断された天板２１等が一斗缶２の外側に折り曲がることが可能な角度であることが好ましい。
【００６７】
２つの側刃部７１、７１と中央刃部７５との間は、天板２１のコーナー部と略同じように湾曲されていることが好ましい。この湾曲されている角部７６には、図４に示すように、略三角形状に形成してもよいし、また、略三角形状に形成しなくてよい。
【００６８】
（第２形態に係る切断具の使用形態）
次に、本発明の第２形態に係る切断具６０を用いて一斗缶２の天板２１を切断する場合を説明する。先ず、一斗缶２の天板２１のカシメ部２４に切断具１の係止部８０を突き合わせる。このとき、第１ガイド板６４、６４間に一斗缶２が位置される。また、切断具６０の位置決めは、第１係止部８１がカシメ部２４の外側であって第１係止部８１と第２係止部８２との間にカシメ部２４が位置されるように行われる。次に、切断具６０の係止部８０を天板２１に押しつけて、第２係止部８２をカシメ部２４の近傍の天板２１に突き刺し、第１係止部８１と第２係止部８２との間にカシメ部２４を位置させて係止部８０（実際には第１係止部８１）をカシメ部２４に係止させる。
【００６９】
係止部８０をカシメ部２４に係止した状態のまま切断刃７０が天板２１側に倒れるように取っ手６６に力を作用させる。こうすることにより、切断刃７０が第１係止部８１を支点として天板２１側に倒れていき、先ず、第２係止部８２の先端部が一斗缶２の側壁２２に当たってその側壁２２に突き刺さると共に、２つの側刃部７１、７１の角刃部７４が天板２１の対向する２つの辺のカシメ部２４近傍に接触して押しつけられる。
【００７０】
そして、角刃部７４が天板２１に突き刺さって一斗缶２内に入ると、角刃部７４が刺さった箇所から刃元側の天板２１が第１刃部７２で切断され、角刃部７４が刺さった箇所から刃先側の天板２１が第２刃部７３で切断される。
【００７１】
この切断途中において、中央刃部７５は、三角形状の先端部が切断しようとする天板２１の残りの１辺に当たってその１辺を切断する。このとき、中央刃部７５の先端部が一斗缶２内に入り、徐々にその１辺が切断されていく。
【００７２】
側刃部７１，７１と中央刃部７５との間に、図４に示すように略三角形状の角部７６を形成してもよいが、なくてもよい。角部７６は、略三角形状の先端部がコーナー部に接触してそのコーナー部を切断する。なお、角部が設けられていない場合であっても同様の効果をもたせることができる。
【００７３】
以上説明したように、本発明の第２形態に係る切断具６０は、係止部８０を一斗缶の天板２１のカシメ部２４又は底板２３のカシメ部２５に係止させた後に、取っ手６６により切断刃７０を天板２１側又は底板２３側に倒すことにより、天板２１又は底板２３の３辺を一度に短時間で切断することができる。
【図面の簡単な説明】
【００７４】
【図１】本発明の第１形態に係る切断具の一例を示す図で、（ａ）は平面図、（ｂ）はＡ−Ａ線矢視図である。
【図２】本発明の第１形態に係る切断具の他の一例を示す図で、（ａ）は平面図、（ｂ）はＢ−Ｂ線矢視図である。
【図３】本発明の第１形態に係る切断具の変形例を示す平面図である。
【図４】本発明の第２形態に係る切断具の一例を示す斜視図であり、（ａ）は全体図、（ｂ）は係止部の拡大図である。
【図５】本発明の第２形態に係る切断具の一例を示す平面図である。
【図６】本発明の第１形態に係る切断具を一斗缶の天板に突き刺した状態を示す概略断面図である。
【図７】本発明の第１形態に係る切断具で一斗缶の天板を切断する初期状態を示す概略断面図である。
【図８】本発明の第１形態に係る切断具の切断刃が天板を切断する初期状態を示す概略断面図である。
【図９】本発明の第１形態に係る切断具の切断刃が天板を切断した状態を示す概略断面図である。
【図１０】本発明の第１形態に係る切断具を一斗缶の天板に突き刺した状態を示す斜視図である。
【図１１】本発明の第１形態に係る切断具が天板の１辺を切断した状態を示す斜視図である。
【図１２】一斗缶の天板の２辺目を切断するために本発明の第１形態に係る切断具を一斗缶に突き刺した状態を示す斜視図である。
【図１３】本発明の第１形態に係る切断具が天板の２辺を切断した状態を示す斜視図である。
【図１４】一斗缶の天板の３辺目を切断するために本発明の第１形態に係る切断具を一斗缶に突き刺した状態を示す斜視図である。
【図１５】本発明の第１形態に係る切断具が天板の３辺を切断した状態を示す斜視図である。
【図１６】一斗缶の天板の３辺が切断された状態を示す斜視図である。
【図１７】天板を外側に折り曲げた状態を示す斜視図である。
【図１８】一斗缶の底板の対角線を切断するために本発明の第１形態に係る切断具を一斗缶に突き刺した状態を示す斜視図である。
【図１９】本発明の第１形態に係る切断具が一斗缶の底板の対角線を切断した状態を示す斜視図である。
【図２０】一斗缶の底板の対角線が切断された状態を示す斜視図である。
【図２１】一斗缶を押し潰した状態を示す平面図である。
【図２２】本発明の第１形態に係る他の例の切断具を一斗缶の天板に突き刺した状態を示す斜視図である。
【図２３】本発明の第１形態に係る他の例の切断具が天板の１辺を切断した状態を示す斜視図である。
【図２４】従来の金属製のへらで一斗缶の天板を切断する状態を示す斜視図である。
【図２５】切断刃の峰と係止部との位置関係の説明図であり、（ａ）は両者が同一の座標平面にある形態を示しており、（ｂ）は両者が異なる座標平面にある形態を示している。
【符号の説明】
【００７５】
１  切断具
２  一斗缶
３  係止部
４  切断刃
５  柄
１１  峰
１２  第１刃部
１３  角刃部
１４  第２刃部
１５  刃面
１６  刃元
１７  凹部
１８  突部
２１  天板
２２  側壁
２３  底板
２４  カシメ部（エッジ）
２５  カシメ部（エッジ）
３１  第１係止部
３２  第２係止部
５０  柄
５１  回動部
５２  収容部
５３  握り部
５４  貫通孔
６０  切断具
６１  切断具本体
６３  基部
６４  ガイド板
６５  ガイド板
６６  取っ手
６７  側部
６８  握り部
７０  切断刃
７１  側刃部
７２  第１刃部
７３  第２刃部
７４  角刃部
７５  中央刃部
７６  角部
８０  係止部
８１  第１係止部
８２  第２係止部
【図１】
2005306398.tif 000003
【図２】
2005306398.tif 000004
【図３】
2005306398.tif 000005
【図４】
2005306398.tif 000006
【図５】
2005306398.tif 000007
【図６】
2005306398.tif 000008
【図７】
2005306398.tif 000009
【図８】
2005306398.tif 000010
【図９】
2005306398.tif 000011
【図１０】
2005306398.tif 000012
【図１１】
2005306398.tif 000013
【図１２】
2005306398.tif 000014
【図１３】
2005306398.tif 000015
【図１４】
2005306398.tif 000016
【図１５】
2005306398.tif 000017
【図１６】
2005306398.tif 000018
【図１７】
2005306398.tif 000019
【図１８】
2005306398.tif 000020
【図１９】
2005306398.tif 000021
【図２０】
2005306398.tif 000022
【図２１】
2005306398.tif 000023
【図２２】
2005306398.tif 000024
【図２３】
2005306398.tif 000025
【図２４】
2005306398.tif 000026
【図２５】
2005306398.tif 000027